(57)【特許請求の範囲】
【請求項１】
品物を保冷する保冷室と、前記保冷室を冷却するための蓄冷剤と、前記蓄冷剤周囲の冷気を前記保冷室内に送風する庫内ファンと、前記蓄冷剤を冷却する圧縮機を備えた冷却装置と、商用電源が入力されたことを検出する商用電源検出装置と、前記蓄冷剤の温度を検出する蓄冷剤温度検出装置と、前記保冷室内の温度を検出する庫内温度検出装置とからなる保冷庫において、前記蓄冷剤表面の温度を検出する第1表面温度検出装置と、前記蓄冷剤と前記蓄冷剤の間の温度を検出する第２表面温度検出装置と、前記蓄冷剤表面への着霜を知らせる着霜ランプと、前記第１表面温度検出装置と前記第２表面温度検出装置により検出された温度の温度差が所定温度以下と検出した場合、前記着霜ランプを点滅させる主制御部を備えたことを特徴とする保冷庫。
【請求項２】
蓄冷剤温度検出装置と蓄冷剤と蓄冷剤の間の温度を検出する第２表面温度検出装置により検出された温度の温度差が所定温度以下と検出した場合、着霜ランプを点滅させる主制御部を備えたことを特徴とする請求項１記載の保冷庫。
【発明の詳細な説明】
【０００１】
【発明の属する技術分野】
本発明は蓄冷剤を用いて保冷室を低温に保つ保冷庫に関するものである。
【０００２】
【従来の技術】
例えば、従来の保冷庫は、特開平１０ー１０３８４８号公報示されているものがある。
【０００３】
以下、図面を参照しながら上記従来の保冷庫について説明する。
【０００４】
図１３は従来の保冷庫の断面図である。図１４は従来の保冷庫の機能ブロック図である。
【０００５】
図１３、図１４において、１は断熱箱体からなる本体キャビネット、本体キャビネット１の内部に、品物を保冷する保冷室２と、保冷室２の下方に配置された蓄冷室３と、保冷室２と蓄冷室３とを連通する庫内ダクト４とを形成している。また、保冷室２は開閉するドア５を設けている。さらに、保冷室２には，庫内ダクト４との連結部に庫内ファン６を配置し，蓄冷室３には、蓄冷剤８が配置されている。本体キャビネット１の天井上部には、圧縮機９、凝縮器１０が配置され、また、蒸発器１１は、蓄冷剤８と熱的に密着するように配置されている。
【０００６】
１２は、蓄冷剤近辺に配置されている蓄冷剤温度検出装置で、また、庫内温度検出装置１３は、庫内ファン６近辺に配置されている。１５は商用電源が入力されたことを検出する商用電源検出装置、１４は庫内ファン６、圧縮機９、蓄冷剤温度検出装置１２、庫内温度検出装置１３とに接続された主制御部である。
【０００７】
以上のように構成された保冷庫について、以下その動作を図１５に従い説明する。
【０００８】
図１５は従来の保冷庫のフローチャートである。
【０００９】
図１５において、商用電源検出装置１５にて商用電源の保冷庫への入力が検出されると蓄冷剤温度検知装置１２が蓄冷剤温度を検出する（ＳＴＥＰ０１）。次に蓄冷剤温度検知装置１２にて検出された蓄冷剤温度が所定温度に達するまで、圧縮機９を動作させ、蒸発器１１を冷却し、蓄冷剤８を凍結させる運転を行う（ＳＴＥＰ０２）。
【００１０】
次に蓄冷剤温度検知装置１２にて検出された蓄冷剤温度が所定温度に達した場合、圧縮機９を停止させ、蓄冷剤８の凍結運転を停止する（ＳＴＥＰ０３）。次に庫内温度検知装置１３が庫内温度を検出する（ＳＴＥＰ０４）。
【００１１】
次に庫内温度検知装置１３にて検出された庫内温度が所定温度に達するまで、庫内ファン６を動作させ、蓄冷室３からダクト４を通じて庫内ファン６により冷気が保冷室２に供給され、保冷室２を冷却する（ＳＴＥＰ０５）。次に庫内温度検知装置１３にて検出された庫内温度が所定温度に達した場合、庫内ファン６を停止する（ＳＴＥＰ０６）。
【００１２】
このサイクルの繰り返しにより蓄冷剤８の温度は所定温度に保たれる。作業者は通常、保冷室２が所定温度で安定しているこの状態のときに品物を保冷室２に運び入れる。次にトラック等の輸送手段に保冷庫を積み込むために商用電源がＯＦＦされると、庫内ファン６の電力供給元を商用電源から蓄電池に切り替え、蓄冷剤８の融解潜熱を用いて保冷室２の温度を所定温度に保つ運転をそのまま継続する（ＳＴＥＰ０７）。
【００１３】
この状態で保冷庫はトラック等の輸送手段に積み込まれ、荷物集積基地から荷物集積基地へと品物を搭載し、保冷室２の温度を所定温度に保ちながら運搬される。
【００１４】
【発明が解決しようとする課題】
しかしながら、上記従来の構成においては、凍結運転と保冷運転を数回繰り返すと、蓄冷剤表面に霜が付着し、冷却不良をなくすため、作業者が定期的に着霜の確認をしなければならないという課題を有していた。
【００１５】
本発明は、上記従来の課題を解決するもので、記憶装置により記憶された商用電源投入回数が所定の回数に達した時点で、着霜ランプを点滅させる制御をすることにより、蓄冷剤表面への着霜を知らせることが出来る保冷庫を提供することを目的とする。
【００１６】
【課題を解決するための手段】
この目的を達成するため本発明は、品物を保冷する保冷室と、保冷室を冷却するための蓄冷剤と、蓄冷剤周囲の冷気を保冷室内に送風する庫内ファンと、蓄冷剤を冷却する圧縮機を備えた冷却装置と、冷却装置に電源が投入されたことを検出する商用電源検出装置と、蓄冷剤の温度を検出する蓄冷剤温度検出装置と、保冷室内の温度を検出する庫内温度検出装置とからなり、商用電源検出装置により検出された回数を記憶する記憶装置と、蓄冷剤表面への着霜を知らせる着霜ランプと、庫内ファン、圧縮機、商用電源検出装置、蓄冷剤温度検出装置、庫内温度検出装置、記憶装置、着霜ランプとに接続された主制御部より構成されたものである。
【００１７】
これにより、記憶装置により記憶された商用電源投入回数が所定の回数に達した時点で、着霜ランプを点滅させるを制御することにより、蓄冷剤表面への着霜を知らせることが出来る。
【００１８】
また、庫内ファン、圧縮機、商用電源検出装置、蓄冷剤温度検出装置、庫内温度検出装置、記憶装置、着霜ランプとに接続された主制御部を設けたものである。
【００１９】
これにより、記憶装置により記憶された商用電源投入回数が第１の所定の回数に達した時点で、着霜ランプを点灯させた後、商用電源投入回数が第２の所定の回数に達した時点で、着霜ランプを点滅させる制御をすることにより、蓄冷剤表面への着霜を２段階で知らせることが出来る。
【００２０】
また、主制御部に接続された外気温検出装置を設けたものである。
【００２１】
これにより、記憶装置により記憶された商用電源投入回数が外気温検出装置により設定された所定の回数に達した時点で、着霜ランプを点滅させる制御をすることにより、季節毎の蓄冷剤表面への着霜を知らせることが出来る。
【００２２】
さらに、外気温検出装置の代わりに主制御部に接続された凝縮温度検出装置を設けたものである。
【００２３】
これにより、記憶装置により記憶された商用電源投入回数が凝縮温度検出装置により設定された所定の回数に達した時点で、着霜ランプを点滅させる制御をすることにより、季節毎の蓄冷剤表面への着霜を知らせると共に、高温警報用としても使用することが出来る。
【００２４】
また、記憶装置の代わりに主制御部に接続された蓄冷剤表面の温度を検出する第１表面温度検出装置と、蓄冷剤と蓄冷剤の間の温度を検出する第２表面温度検出装置とを設けたものである。
【００２５】
これにより、第１表面温度検出装置と第２表面温度検出装置により検出された温度の温度差が所定温度以下と検出した場合、着霜ランプを点滅させる制御をすることにより、より正確に蓄冷剤表面への着霜を知らせることが出来る。
【００２６】
また、第１表面温度検出装置の代わりに主制御部に接続された蓄冷剤温度検出装置を使用したものである。
【００２７】
これにより、蓄冷剤温度検出装置と第２表面温度検出装置により検出された温度の温度差が所定温度以下と検出した場合、着霜ランプを点滅させる制御をすることにより、より正確に蓄冷剤表面への着霜を知らせると共に、温度検出装置の個数を少なくすることが出来る。
【００３２】
【発明の実施の形態】
本発明の請求項１に記載の発明は、蓄冷剤表面の温度を検出する第1表面温度検出装置と、蓄冷剤と蓄冷剤の間の温度を検出する第２表面温度検出装置とを設けたものであり、第1表面温度検出装置と第２表面温度検出装置により検出された温度の温度差が所定温度以下と検出した場合、着霜ランプを点滅させることにより、より正確に蓄冷剤表面への着霜を知らせることが出来るという作用を有する。
【００３３】
請求項２に記載の発明は、蓄冷剤温度検出装置と第２表面温度検出装置により検出された温度の温度差が所定温度以下と検出した場合、着霜ランプを点滅させることにより、より正確に蓄冷剤表面への着霜を知らせると共に、温度検出装置の個数を少なくすることが出来るという作用を有する。
【００３４】
【実施例】
以下、本発明による保冷庫の実施例について、図面を参照しながら説明する。なお、従来と同一構成については、同一符号を付して詳細な説明を省略する。
【００３５】
（実施例１）
図１は、本発明の実施例１による保冷庫の機能ブロック図である。図２は、同実施例の動作を示すフローチャートである。
【００３６】
図１において、１５は冷却装置に電源が投入されたことを検出する商用電源検出装置、１６は商用電源検出装置により検出された回数を記憶する記憶装置、１７は蓄冷剤８表面への着霜を知らせる着霜ランプ、１４ａは庫内ファン６、圧縮機９、商用電源検出装置１５、蓄冷剤温度検出装置１２、庫内温度検出装置１３、記憶装置１６、着霜ランプ１７とに接続された主制御部である。
【００３７】
以上のように構成された保冷庫について、以下その動作を図２のフローチャートをもとにして説明する。
【００３８】
まず、商用電源が保冷庫に入力されると主制御部１４ａは商用電源投入回数を確認する（ＳＴＥＰ１１）。次に、主制御部１４ａは記憶装置１６により記憶された商用電源投入回数が所定の回数に達した時点で、着霜ランプ１７を点滅させる（ＳＴＥＰ１２）。また、主制御部１４ａは記憶装置１６により記憶された商用電源投入回数が所定の回数に達していない場合、着霜ランプ１７は点滅せず、通常のサイクル動作（ＳＴＥＰ０１〜０７）を繰り返す。
【００３９】
以上のように本実施例の保冷庫は、冷却装置に電源が投入されたことを検出する商用電源検出装置１５と、商用電源検出装置１５により検出された回数を記憶する記憶装置１６と、蓄冷剤８表面への着霜を知らせる着霜ランプ１７と、庫内ファン６、圧縮機９、蓄冷剤温度検出装置１２、庫内温度検出装置１３とに接続され、記憶装置１６により記憶された商用電源投入回数が所定の回数に達した時点で、着霜ランプ１７を点滅させる主制御部１４ａとから構成されているので、蓄冷剤８表面への着霜を知らせることが出来る。
【００４０】
（実施例２）
図３は、本発明の実施例２による保冷庫の機能ブロック図である。図４は、同実施例の動作を示すフローチャートである。
【００４１】
図３において、１４ｂは庫内ファン６、圧縮機９、商用電源検出装置１５、蓄冷剤温度検出装置１２、庫内温度検出装置１３、記憶装置１６、着霜ランプ１７とに接続された主制御部である。
【００４２】
以上のように構成された保冷庫について、以下その動作を図４のフローチャートをもとにして説明する。
【００４３】
まず、商用電源が保冷庫に入力されると主制御部１４ｂは商用電源投入回数を確認する（ＳＴＥＰ２１）。次に、主制御部１４ｂは記憶装置１６により記憶された商用電源投入回数が第１の所定回数に達した時点で、着霜ランプ１７を点灯させる（ＳＴＥＰ２２）。次に、主制御部１４ｂは記憶装置１６により記憶された商用電源投入回数が第２の所定回数に達した時点で、着霜ランプ１７を点滅させる（ＳＴＥＰ２３）。また、記憶装置１６により記憶された商用電源投入回数が第１及び第２の所定回数に達していない場合、着霜ランプ１７は点灯及び点滅もせず通常のサイクル動作（ＳＴＥＰ０１〜０７）を繰り返す。
【００４４】
以上のように本実施例の保冷庫は、庫内ファン６、圧縮機９、蓄冷剤温度検出装置１２、庫内温度検出装置１３、商用電源検出装置１５、記憶装置１６、着霜ランプ１７とに接続され、記憶装置１６により記憶された商用電源投入回数が第１の所定回数に達した時点で、着霜ランプ１７を点灯させた後、商用電源投入回数が第２の所定回数に達した時点で、着霜ランプ１７を点滅させる主制御部１４ｂとから構成されているので、蓄冷剤８表面への着霜を２段階で知らせることが出来る。
【００４５】
（実施例３）
図５は、本発明の実施例３による保冷庫の機能ブロック図である。図６は、同実施例の動作を示すフローチャートである。
【００４６】
図５において、１８は外気温度を検出する外気温度検出装置、１９は外気温度検出装置１８の検出温度により、着霜ランプ１７を点滅させる商用電源投入回数を設定する設定装置、１４ｃは庫内ファン６、圧縮機９、商用電源検出装置１５、蓄冷剤温度検出装置１２、庫内温度検出装置１３、記憶装置１６、着霜ランプ１７、外気温度検出装置１８、設定装置１９とに接続された主制御部である。
【００４７】
以上のように構成された保冷庫について、以下その動作を図６のフローチャートをもとにして説明する。
【００４８】
まず、商用電源が保冷庫に入力されると主制御部１４ｃは外気温度検出装置１８で外気温度を検出する（ＳＴＥＰ３１）。次に、主制御部１４ｃは設定装置１９により着霜ランプ１７を点滅させる商用電源投入回数を設定する（ＳＴＥＰ３２）。次に、主制御部１４ｃは商用電源投入回数を確認する（ＳＴＥＰ３３）。次に、主制御部１４ｃは記憶装置１６により記憶された商用電源投入回数が設定装置１９により設定された所定回数に達した時点で、着霜ランプ１７を点滅させる（ＳＴＥＰ３４）。また、記憶装置１６により記憶された商用電源投入回数が設定装置１９により設定された所定回数に達していない場合、着霜ランプ１７は点滅せず通常のサイクル動作（ＳＴＥＰ０１〜０７）を繰り返す。
【００４９】
以上のように本実施例の保冷庫は、庫内ファン６、圧縮機９、蓄冷剤温度検出装置１２、庫内温度検出装置１３、商用電源検出装置１５、記憶装置１６、着霜ランプ１７、外気温度検出装置１８、設定装置１９とに接続され、記憶装置１６により記憶された商用電源投入回数が外気温度検出装置１８により設定された所定回数に達した時点で、着霜ランプ１７を点滅させる主制御部１４ｃとから構成されているので、季節毎に蓄冷剤表面への着霜を知らせることが出来る。
【００５０】
（実施例４）
図７は、本発明の実施例４による保冷庫の機能ブロック図である。図８は、同実施例の動作を示すフローチャートである。
【００５１】
図７において、２０は凝縮温度を検出する凝縮温度検出装置、１９は凝縮温度検出装置２０の検出温度により、着霜ランプ１７を点滅させる商用電源投入回数を設定する設定装置、１４ｄは庫内ファン６、圧縮機９、商用電源検出装置１５、蓄冷剤温度検出装置１２、庫内温度検出装置１３、記憶装置１６、着霜ランプ１７、凝縮温度検出装置１８、設定装置１９とに接続された主制御部である。
【００５２】
以上のように構成された保冷庫について、以下その動作を図８のフローチャートをもとにして説明する。
【００５３】
まず、商用電源が保冷庫に入力されると主制御部１４ｄは凝縮温度検出装置２０で凝縮温度を検出する（ＳＴＥＰ４１）。次に、主制御部１４ｄは設定装置１９により着霜ランプ１７を点滅させる商用電源投入回数を設定する（ＳＴＥＰ４２）。次に、主制御部１４ｄは商用電源投入回数を確認する（ＳＴＥＰ４３）。次に、主制御部１４ｄは記憶装置１６により記憶された商用電源投入回数が設定装置１９により設定された所定回数に達した時点で、着霜ランプ１７を点滅させる（ＳＴＥＰ４４）。また、記憶装置１６により記憶された商用電源投入回数が設定装置１９により設定された所定回数に達していない場合、着霜ランプ１７は点滅せず通常のサイクル動作（ＳＴＥＰ０１〜０７）を繰り返す。
【００５４】
以上のように本実施例の保冷庫は、庫内ファン６、圧縮機９、蓄冷剤温度検出装置１２、庫内温度検出装置１３、商用電源検出装置１５、記憶装置１６、着霜ランプ１７、凝縮温度検出装置２０、設定装置１９とに接続され、記憶装置１６により記憶された商用電源投入回数が凝縮温度検出装置２０により設定された所定回数に達した時点で、着霜ランプ１７を点滅させる主制御部１４ｄとから構成されているので、季節毎に蓄冷剤表面への着霜を知らせると共に、凝縮温度検出装置２０を高温警報用としても使用することが出来る。
【００５５】
（実施例５）
図９は、本発明の実施例５による保冷庫の機能ブロック図である。図１０は、同実施例の動作を示すフローチャートである。
【００５６】
図９において、２１は蓄冷剤８表面の温度を検出する第１表面温度検出装置、２２は蓄冷剤２と蓄冷剤２の間の温度を検出する第２表面温度検出装置、１４ｅは庫内ファン６、圧縮機９、蓄冷剤温度検出装置１２、庫内温度検出装置１３、着霜ランプ１７、第１表面温度検出装置２１、第２表面温度検出装置２２とに接続された主制御部である。
【００５７】
以上のように構成された保冷庫について、以下その動作を図１０のフローチャートをもとにして説明する。
【００５８】
まず、商用電源が保冷庫に入力されると主制御部１４ｅは第１表面温度検出装置２１で蓄冷剤８表面の第１表面温度を検出する（ＳＴＥＰ５１）。次に、主制御部１４ｅは第２表面温度検出装置２２で蓄冷剤２と蓄冷剤２の間の第２表面温度を検出する（ＳＴＥＰ５２）。次に、蓄冷剤８表面の第１表面温度と蓄冷剤２と蓄冷剤２の間の第２表面温度との温度差が所定温度以下と検出した場合、着霜ランプ１７を点滅させる（ＳＴＥＰ５３）。また、蓄冷剤８表面の第１表面温度と蓄冷剤２と蓄冷剤２の間の第２表面温度との温度差が所定温度より高いと検出した場合、着霜ランプ１７は点滅せず通常のサイクル動作（ＳＴＥＰ０１〜０７）を繰り返す。
【００５９】
以上のように本実施例の保冷庫は、庫内ファン６、圧縮機９、蓄冷剤温度検出装置１２、庫内温度検出装置１３、第１表面温度検出装置２１、第２表面温度検出装置とに接続され、第１表面温度検出装置２１と第２表面温度検出装置２２により検出された温度の温度差が所定温度以下と検出した場合、着霜ランプ１７を点滅させる主制御部１４ｅとから構成されているので、より正確に蓄冷剤表面への着霜を知らせることが出来る。
【００６０】
（実施例６）
図１１は、本発明の実施例６による保冷庫の機能ブロック図である。図１２は、同実施例の動作を示すフローチャートである。
【００６１】
図１１において、１４ｆは庫内ファン６、圧縮機９、蓄冷剤温度検出装置１２、庫内温度検出装置１３、着霜ランプ１７、第２表面温度検出装置２２とに接続された主制御部である。
【００６２】
以上のように構成された保冷庫について、以下その動作を図１２のフローチャートをもとにして説明する。
【００６３】
まず、商用電源が保冷庫に入力されると主制御部１４ｆは蓄冷剤温度検出装置１２で蓄冷剤８の蓄冷剤温度を検出する（ＳＴＥＰ６１）。次に、主制御部１４ｆは第２表面温度検出装置２２で蓄冷剤２と蓄冷剤２の間の第２表面温度を検出する（ＳＴＥＰ６２）。次に、蓄冷剤温度と蓄冷剤２と蓄冷剤２の間の第２表面温度との温度差が所定温度以下と検出した場合、着霜ランプ１７を点滅させる（ＳＴＥＰ６３）。また、蓄冷剤温度と蓄冷剤２と蓄冷剤２の間の第２表面温度との温度差が所定温度より高いと検出した場合、着霜ランプ１７は点滅せず通常のサイクル動作（ＳＴＥＰ０１〜０７）を繰り返す。
【００６４】
以上のように本実施例の保冷庫は、庫内ファン６、圧縮機９、蓄冷剤温度検出装置１２、庫内温度検出装置１３、第２表面温度検出装置とに接続され、蓄冷剤温度検出装置１２と第２表面温度検出装置２２により検出された温度の温度差が所定温度以下と検出した場合、着霜ランプ１７を点滅させる主制御部１４ｆとから構成されているので、より正確に蓄冷剤表面への着霜を知らせると共に、温度検出装置の個数を少なくすることが出来る。
【００６５】
【発明の効果】
以上説明したように本発明は、冷却装置に電源が投入されたことを検出する商用電源検出装置と、商用電源検出装置により検出された回数を記憶する記憶装置と、蓄冷剤表面への着霜を知らせる着霜ランプと、庫内ファン、圧縮機、蓄冷剤温度検出装置、庫内温度検出装置とに接続され、記憶装置により記憶された商用電源投入回数が所定の回数に達した時点で、着霜ランプを点滅させる主制御部を備えることにより、蓄冷剤表面への着霜を知らせることが出来る。
【００６６】
また、記憶装置により記憶された商用電源投入回数が第１の所定回数に達した時点で、着霜ランプを点灯させた後、商用電源投入回数が第２の所定回数に達した時点で、着霜ランプを点滅させる主制御部を備えることのより、蓄冷剤表面への着霜を２段階で知らせることが出来る。
【００６７】
また、さらに、主制御部に接続された外気温度を検出する外気温度検出装置と、外気温度検出装置の検出温度により、着霜ランプを点滅させる商用電源投入回数を設定する設定装置と、記憶装置により記憶された商用電源投入回数が外気温度検出装置により設定された所定回数に達した時点で、着霜ランプを点滅させる主制御部を備えることにより、季節毎に蓄冷剤表面への着霜を知らせることが出来る。
【００６８】
また、凝縮温度を検出する凝縮温度検出装置と、凝縮温度検出装置の検出温度により、着霜ランプを点滅させる商用電源投入回数を設定する設定装置と、記憶装置により記憶された商用電源投入回数が設定装置より設定された所定の回数に達した時点で、蓄冷剤表面への着霜を知らせる着霜ランプを点滅させる制御装置を備えることにより、季節毎に蓄冷剤表面への着霜を知らせると共に、凝縮温度検出装置を高温警報用としても使用することが出来る。
【００６９】
また、蓄冷剤表面の温度を検出する第１表面温度検出装置と、蓄冷剤と蓄冷剤の間の温度を検出する第２表面温度検出装置と、蓄冷剤表面への着霜を知らせる着霜ランプと、第１表面温度検出装置と第２表面温度検出装置により検出された温度の温度差が所定温度以下と検出した場合、蓄冷剤表面への着霜を知らせる着霜ランプを点滅させる主制御部を備えることにより、より正確に蓄冷剤表面への着霜を知らせることが出来る。
【００７０】
また、蓄冷剤温度を検出する蓄冷剤温度検出装置と、蓄冷剤と蓄冷剤の間の温度を検出する第２表面温度検出装置と、蓄冷剤表面への着霜を知らせる着霜ランプと、蓄冷剤温度検出装置と第２表面温度検出装置により検出された温度の温度差が所定温度以下と検出した場合、蓄冷剤表面への着霜を知らせる着霜ランプを点滅させる主制御部を備えることにより、より正確に蓄冷剤表面への着霜を知らせると共に、温度検出装置の個数を少なくすることが出来る。
【図面の簡単な説明】
【図１】本発明による保冷庫の実施例１の機能ブロック図
【図２】同実施例の保冷庫の動作を示すフローチャート
【図３】本発明による保冷庫の実施例２の機能ブロック図
【図４】同実施例の保冷庫の動作を示すフローチャート
【図５】本発明による保冷庫の実施例３の機能ブロック図
【図６】同実施例の保冷庫の動作を示すフローチャート
【図７】本発明による保冷庫の実施例４の機能ブロック図
【図８】同実施例の保冷庫の動作を示すフローチャート
【図９】本発明による保冷庫の実施例５の機能ブロック図
【図１０】同実施例の保冷庫の動作を示すフローチャート
【図１１】本発明による保冷庫の実施例６の機能ブロック図
【図１２】同実施例の保冷庫の動作を示すフローチャート
【図１３】従来の保冷庫の断面図
【図１４】従来の保冷庫の機能ブロック図
【図１５】従来の保冷庫の動作を示すフローチャート
【符号の説明】
２  保冷室
６  庫内ファン
８  蓄冷剤
９  圧縮機
１２  蓄冷剤温度検出装置
１３  庫内温度検出装置
１４ａ，１４ｂ，１４ｃ，１４ｄ，１４ｅ，１４ｆ  主制御部
１５  商用電源検出装置
１６  記憶装置
１７  着霜ランプ
１８  外気温度検出装置
１９  設定装置
２０  凝縮温度検出装置
２１  第１表面温度検出装置
２２  第２表面温度検出装置
【図１】
0003563645.tif 000002
【図２】
0003563645.tif 000003
【図３】
0003563645.tif 000004
【図４】
0003563645.tif 000005
【図５】
0003563645.tif 000006
【図６】
0003563645.tif 000007
【図７】
0003563645.tif 000008
【図８】
0003563645.tif 000009
【図９】
0003563645.tif 000010
【図１０】
0003563645.tif 000011
【図１１】
0003563645.tif 000012
【図１２】
0003563645.tif 000013
【図１３】
0003563645.tif 000014
【図１４】
0003563645.tif 000015
【図１５】
0003563645.tif 000016